(57)【要約】【課題】  立体絵本に荷重がかかっても破損しないよう保護する構造を提供する。【解決手段】  本文４と背部２とがフローティングしている立体絵本１に対して、背部２と略同じ幅を有し剛性のある二つの扁平補強材７，７それぞれの第１片部８，８を、本文４と背部２との間隙に差込み、第２片部９，９を本文４の天１１ないし地１２と表紙３，３との段差領域（チリ部）に配置する。輸送時などで立体絵本１に荷重がかかっても、表紙３，３が閉じた状態であれば、各扁平補強材７，７が各表紙３，３の内面と接触することで、表紙３，３間が束の幅に維持され、表紙３，３にねじれるような荷重がかかることも回避されて破損を防止することができる。【選択図】  図１
0003134996.tif 000002
【実用新案登録請求の範囲】
【請求項１】
本文と背部とがフローティングしている立体絵本に対して、
前記背部と略同じ幅を有し、第１片部と第２片部との境界で屈曲しており、剛性を有する二つの扁平補強材それぞれの第１片部が、前記本文と前記背部との間隙に差込まれ、前記扁平補強材の第２片部が前記本文の天ないし地と表紙との段差領域に配置され、表紙が閉じた状態で、各扁平補強材が各表紙の内面と接触することで、表紙間を束の幅に維持することを特徴とする立体絵本の保護構造。
【請求項２】
本文と背部とがフローティングしている立体絵本に対して、
前記背部と略同じ幅を有し、第１片部と第２片部との境界で屈曲しており、剛性を有する扁平補強材の第１片部が、天と地のうち、仕掛けの配置によって、より圧縮され得る側から、前記本文と前記背部との間隙に差込まれ、前記扁平補強材の第２片部が前記本文の天又は地と表紙との段差領域に配置され、表紙が閉じた状態では、扁平補強材が各表紙の内面と接触することで、表紙間を略束の幅に維持することを特徴とする立体絵本の保護構造。
【請求項３】
前記扁平補強材の前記第１片部は、前記背部の内側に対して接着されていることを特徴とする請求項１又は２に記載の立体絵本の保護構造。
【請求項４】
本文と背部とがフローティングしている立体絵本に対して、
前記背部と略同じ幅を有し屈曲した剛性を有する扁平補強材が、前記本文の天、小口及び地を周回するように、表紙との段差領域に配置され、前記扁平補強材の端部が天側及び地側から前記本文と前記背部との間隙に差込まれており、表紙が閉じた状態では、扁平補強材が各表紙の内面と接触することで、表紙間を束の幅に維持することを特徴とする立体絵本の保護構造。
【請求項５】
立体絵本に対して、
前記背部と略同じ幅を有し剛性のある二つの扁平補強材それぞれが、本文の天ないし地と表紙との段差領域に配置され、更に、表紙が閉じられて、扁平補強材が各表紙の内面と接触することで、表紙間が束の幅に維持されるようにラッピングされていることを特徴とする立体絵本の保護構造。
【請求項６】
立体絵本に対して、
前記背部と略同じ幅を有し剛性のある扁平補強材が、本文の天と地のうち、仕掛けの配置によって、より圧縮され得る側の天又は地と表紙との段差領域に配置され、更に、表紙が閉じられて、扁平補強材が各表紙の内面と接触することで、表紙間が略束の幅に維持されるようにラッピングされていることを特徴とする立体絵本の保護構造。
【考案の詳細な説明】
【技術分野】
【０００１】
本考案は、立体絵本の技術分野に属し、詳しくは、輸送時や取扱い時における破損を防ぐようにした立体絵本の保護構造に関する。
【背景技術】
【０００２】
従来より、立体絵本は、物語を伝える絵本として、臨場感もあり、多くの人に親しまれている。最近では、頁を開く際に意外性のある動きを演出する等のため、精巧で複雑な仕掛けや構造を有する立体絵本が創作されてきている。
【０００３】
【特許文献１】特開２００３−７１１５１号公報
【特許文献２】実用新案登録第３１１８９１５号公報
【考案の開示】
【考案が解決しようとする課題】
【０００４】
上記のように、立体絵本は、その仕掛けが精巧化、複雑化するに伴って、本文の頁間に取り付けられる紙片の量は増加してきており、しかもその紙片が配置される位置は頁毎に偏在している。そのため、仕掛けの紙片のために厚くなった本文の部分に合わせて、背幅が決められるものの、天側と地側で本文の厚さが大きく異なると、立体絵本の輸送や積み上げの際に、表紙にねじれるような荷重がかかってしまう。すると、たとえ表紙がハードカバーであったとしても、耳部付近が破損しやすくなり、特に耳部付近の溝部に集中的な荷重がかかり破損しやすくなる。
【０００５】
そこで本考案は、輸送時や取扱い時に荷重がかかっても破損しないようにした立体絵本の保護構造を提供することを目的とする。
【課題を解決するための手段】
【０００６】
本考案に係る立体絵本の保護構造は、本文と背部とがフローティングしている立体絵本に対して、前記背部と略同じ幅を有し、第１片部と第２片部との境界で屈曲しており、剛性を有する二つの扁平補強材それぞれの第１片部が、前記本文と前記背部との間隙に差込まれ、前記扁平補強材の第２片部が前記本文の天ないし地と表紙との段差領域に配置され、表紙が閉じた状態で、各扁平補強材が各表紙の内面と接触することで、表紙間を束の幅に維持することを特徴とする。
【０００７】
この構造によれば、二つの扁平補強材それぞれの第１片部が本文と背部との間隙に差し込まれているため、扁平補強材は本文と背部との摩擦により抜けにくくなっており、第２片部は、本文の天ないし地と表紙との段差領域に配置されているため、表紙が閉じた状態では、各扁平補強材が各表紙の内面と接触することで、表紙間が束の幅に維持され、表紙にねじれるような荷重がかかることも回避されて破損を防止することができ、しかも、本文に取り付けられている仕掛けをも保護することができる。
【０００８】
または、本考案に係る立体絵本の保護構造は、本文と背部とがフローティングしている立体絵本に対して、前記背部と略同じ幅を有し、第１片部と第２片部との境界で屈曲しており、剛性を有する扁平補強材の第１片部が、天と地のうち、仕掛けの配置によって、より圧縮され得る側から、前記本文と前記背部との間隙に差込まれ、前記扁平補強材の第２片部が前記本文の天又は地と表紙との段差領域に配置され、表紙が閉じた状態では、扁平補強材が各表紙の内面と接触することで、表紙間を略束の幅に維持することを特徴とする。
【０００９】
この構造によれば、扁平補強材の第１片部が、天と地のうち、仕掛けの配置によって、より圧縮され得る側から、本文と背部との間隙に差し込まれ、扁平補強材の第２片部が、本文の天ないし地と表紙との段差領域に配置されているため、扁平補強材は本文と背部との摩擦により抜けにくくなっており、しかも、表紙が閉じた状態では、天と地のうち、より圧縮され得る側において、扁平補強材が各表紙の内面と接触することで、表紙間が略束の幅に維持され、表紙にねじれるような荷重が軽減されて破損を防止することができ、しかも、本文に取り付けられている仕掛けをも保護することができる。
【００１０】
このような立体絵本の保護構造において、扁平補強材の第１片部は、背部の内側に対して接着されているとよい。この構造により、扁平補強材が立体絵本から取り外されることはないため、輸送時に限らず、利用者も立体絵本を保護構造として保管することもできる。
【００１１】
または、本考案に係る立体絵本の保護構造は、本文と背部とがフローティングしている立体絵本に対して、前記背部と略同じ幅を有し屈曲した剛性を有する扁平補強材が、前記本文の天、小口及び地を周回するように、表紙との段差領域に配置され、前記扁平補強材の端部が天側及び地側から前記本文と前記背部との間隙に差込まれており、表紙が閉じた状態では、扁平補強材が各表紙の内面と接触することで、表紙間を束の幅に維持することを特徴とする。
【００１２】
この構造によれば、扁平補強材は、本文の天、小口及び地を周回するように、表紙との段差領域に配置され、端部において天側及び地側から前記本文と前記背部との間隙に差込まれているため、扁平補強材は本文と背部との摩擦により抜けにくくなっており、表紙が閉じた状態では、本文の天から、小口及び地にわたって、扁平補強材が各表紙の内面と接触することで、表紙間が束の幅に維持されるため、表紙にねじれるような荷重がかかることも回避されて破損を防止することができ、しかも、本文に取り付けられている仕掛けをも保護することができる。
【００１３】
または、立体絵本の保護構造は、立体絵本に対して、前記背部と略同じ幅を有し剛性のある二つの扁平補強材それぞれが、本文の天ないし地と表紙との段差領域に配置され、更に、表紙が閉じられて、扁平補強材が各表紙の内面と接触することで、表紙間が束の幅に維持されるようにラッピングされていることを特徴とする。
【００１４】
この構造によれば、二つの扁平補強材それぞれが、本文の天ないし地と表紙との段差領域に配置され、更に、表紙が閉じられて、扁平補強材が各表紙の内面と接触することで、表紙間が束の幅に維持されるようにラッピングされているので、表紙にねじれるような荷重がかかることも回避されて破損を防止することができ、しかも、本文に取り付けられている仕掛けをも保護することができる。
【００１５】
または、本考案に係る立体絵本の保護構造は、立体絵本に対して、前記背部と略同じ幅を有し剛性のある扁平補強材が、本文の天と地のうち、仕掛けの配置によって、より圧縮され得る側の天又は地と表紙との段差領域に配置され、更に、表紙が閉じられて、扁平補強材が各表紙の内面と接触することで、表紙間が略束の幅に維持されるようにラッピングされていることを特徴とする。
【００１６】
この構造によれば、扁平補強材が、本文の天と地のうち、仕掛けの配置によって、より圧縮され得る側の天又は地と表紙との段差領域に配置され、更に、表紙が閉じられて、扁平補強材が各表紙の内面と接触することで、表紙間が略束の幅に維持されるようにラッピングされているので、表紙にねじれるような荷重が軽減されて破損を防止することができ、しかも、本文に取り付けられている仕掛けをも保護することができる。
【考案の効果】
【００１７】
本考案によれば、輸送時や取扱い時に、立体絵本に荷重がかかっても破損しないよう保護することができる。
【考案を実施するための最良の形態】
【００１８】
以下、図面を参照しながら、本考案に係る立体絵本の保護構造の好適な実施形態について説明する。
【００１９】
＜第１実施形態＞
まず、第１実施形態における立体絵本の保護構造について、図１及び図２を参照して説明する。
【００２０】
図１に示すように、立体絵本１は、背部２、表紙３，３、本文４から構成されている。背部２及び表紙３，３にはハードカバーが用いられ、表紙３，３には耳部（溝部）６が形成されている。本文４は、物語の絵が印刷された二つ折の用紙を複数枚、蛇腹形状となるように用紙の端部同士が貼り合わされて形成されている。ここで用紙の端部同士は、長尺状の用紙を介在させて連接させてもよい。
【００２１】
本文４の各見開き二頁には、紙片で構成される仕掛けがポップアップするよう取り付けられている。そして、表紙３，３と対向する本文４の端頁は、表紙３，３の内面に貼り合わされている。そのため、背表紙はフォローバックの形状をなし、本文４は、背部２から離れている（フローティング）状態となっており、本文４と背部２との間には、間隙が形成されている。本文４に取り付けらている仕掛けは、見開き二頁に対して偏在しており、しかも頁毎に偏在している。
【００２２】
このような立体絵本１の輸送等ために、二つの扁平補強材７を用意する。これらの扁平補強材７は、背部２と略同じ幅を有し、幅方向から輸送時等にかかる圧縮荷重がかけられても変形しない程度に剛性を有しており、材料としては、ダンボールや厚紙、プラスチック等が適当である。扁平補強材７は、第１片部８と第２片部９との境界で折り曲げられて屈曲している。
【００２３】
そして、図１の矢印で示すように、一方の扁平補強材７の第１片部８を、立体絵本１の天１１側から本文４と背部２との間隙に差込み、第２片部９を本文４の天１１と表紙３との段差領域（チリ部）に配置する。同様に、他方の扁平補強材７の第１片部８を、立体絵本１の地１２側から本文４と背部２との間隙に差込み、第２片部９を本文４の地１２と表紙３との段差領域（チリ部）に配置する。
【００２４】
すると、図２に示すように、各扁平補強材７，７の第１片部８，８は、本文４と背部２との間隙に差し込まれているため、扁平補強材７，７は本文４と背部２との摩擦により抜けにくくなっている。また、表紙３，３が閉じた状態では、各扁平補強材７，７が各表紙３，３の内面と接触することで、表紙３，３間を束の幅に維持することができる。そして、輸送時等において、表紙３，３にねじれるような荷重がかかることも回避されて破損を防止することができ、しかも、本文４に取り付けられている仕掛けをも保護することができる。
【００２５】
なお、本第１実施形態については、次のようにしてもよい。
【００２６】
すなわち、本第１実施形態では、二つの扁平補強材７，７を用いたが、一つの扁平補強材７を用いるようにしてもよい。この場合、天１１と地１２のうち、仕掛けの配置によって、より圧縮され得る側から、第１片部８を本文４と背部２との間隙に差込み、第２片部９を本文４の天１１又は地１２と表紙３，３との段差領域（チリ部）に配置する。
【００２７】
このような構造としても、扁平補強材７は本文４と背部２との摩擦により抜けにくくなっており、しかも、表紙３，３が閉じた状態では、天１１と地１２のうち、より圧縮され得る側において、扁平補強材７が各表紙３，３の内面と接触することで、表紙３，３間が略束の幅に維持され、表紙３，３にねじれるような荷重が軽減されて破損を防止することができる。しかも、本文４に取り付けられている仕掛けをも保護することができる。
【００２８】
また、このような構造において、扁平補強材７の第１片部８を、背部２の内側に対して接着してもよい。これにより、扁平補強材７が立体絵本１から取り外されたり、抜けたりすることはなくなり、輸送時に限らず、利用者も立体絵本１を保護する構造にして保管することができる。
【００２９】
上記いずれの実施形態においても、立体絵本１を輸送する際には、扁平補強材７を立体絵本１に取り付けたうえで、立体絵本１の全体を伸縮性のビニルシート或いはビニール袋等でラッピングするとよい。
【００３０】
＜第２実施形態＞
次に、図３を参照しつつ、第２実施形態について説明する。第２実施形態も、第１実施形態と同様に、本文４と背部２とが離れている（フローティング）立体絵本１を保護する構造である。
【００３１】
第２実施形態で用いる扁平補強材１６は、第１実施形態で用いた扁平補強材７と同様に、背部２と略同じ幅を有し、幅方向から輸送時等にかかる圧縮荷重がかけられても変形しない程度に剛性を有しており、ダンボールや厚紙、或いはプラスチック等で形成される。ただし、扁平補強材１６は、扁平補強材７よりも長尺であり、天１１側から本文４と背部２との間隙に差し込むための第１片部１７と、本文４の天１１をカバーする第２片部１８と、本文４の小口１３をカバーする第３片部１９と、本文４の地１２をカバーする第４片部２０と、地１２側から本文４と背部２との間隙に差し込むための第５片部２１とが同じ一方向に連接されて形成されたものであり、各片部１７〜２１の境界で折り曲げられて屈曲している。
【００３２】
そして、図３に示すように、扁平補強材１６の第１片部１７を天１１側から本文４と背部２との間隙に差込み、扁平補強材１６を本文４の天１１、小口１３及び地１２を周回させるように、第２片部１８で天１１をカバーし、第３片部１９で小口１３をカバーし、第４片部２０で地１２をカバーし、第５片部２１を地１２側から本文４と背部２との間隙に差し込む。このとき、第２片部１８は、天１１と表紙３，３との段差領域（チリ部）に配置され、第３片部１９は、小口１３と表紙３，３との段差領域（チリ部）に配置され、第４片部２０は、地１２と表紙３，３との段差領域（チリ部）に配置される。
【００３３】
このような構造とすれば、扁平補強材１６の第１片部１７及び第５片部２１は、それぞれ、天１１側及び地１２側から本文４と背部２との間隙に差込まれているため、扁平補強材１６は本文４と背部２との摩擦により抜けにくくなっている。そして、表紙３，３が閉じた状態では、本文４の天１１から、小口１３及び地１２にわたって、扁平補強材１６が各表紙３，３の内面と接触することで、表紙３，３間が束の幅に維持されるため、表紙３，３にねじれるような荷重がかかることも回避されて破損を防止することができ、しかも、本文４に取り付けられている仕掛けをも保護することができる。
【００３４】
本実施形態においても、立体絵本１を輸送する際には、扁平補強材１６を立体絵本１に取り付けたうえで、立体絵本１の全体を伸縮性のビニルシート或いはビニール袋等でラッピングするとよい。
【００３５】
＜第３実施形態＞
続いて、図４を参照しつつ、第３実施形態について説明する。
【００３６】
第３実施形態で用いる二つの扁平補強材２３は、第１実施形態で用いた扁平補強材７と同様に、背部２と略同じ幅を有し、幅方向から輸送時等にかかる圧縮荷重がかけられても変形しない程度に剛性を有しており、ダンボールや厚紙、或いはプラスチック等で形成されている。ただし、扁平補強材２３は、本文４と背部２との間の間隙に差し込まれる片部を有していない。
【００３７】
図４に示すように、立体絵本１における本文４の天１１と地１２のそれぞれに対して、扁平補強材２３，２３が、本文４の天１１ないし地１２と表紙３，３との段差領域（チリ部）に配置される。そして、表紙３，３を閉じて、扁平補強材２３，２３が各表紙３，３の内面と接触することで、表紙３，３間が束の幅に維持されるようにしたうえで、立体絵本１の全体を伸縮性のビニルシート或いはビニール袋等でラッピングする。
【００３８】
このような構造とすれば、二つの扁平補強材２３，２３が各表紙３，３の内面と接触してラッピングされているので、表紙３，３間が束の幅に維持され、表紙３，３にねじれるような荷重がかかることも回避されて破損を防止することができ、しかも、本文４に取り付けられている仕掛けをも保護することができる。
【００３９】
なお、本第３実施形態については、次のようにしてもよい。
【００４０】
すなわち、本第３実施形態では、二つの扁平補強材２３，２３を用いたが、一つの扁平補強材２３を用いるようにしてもよい。この場合、天１１と地１２のうち、仕掛けの配置によって、より圧縮され得る側の天１１又は地１２と表紙３，３との段差領域（チリ部）に配置する。この構造により、より圧縮され得る側の天１１又は地１２における表紙３，３間が、扁平補強材２３とラッピングにより、略束の幅に維持されるので、表紙３，３にねじれるような荷重が軽減されて破損を防止することができ、本文４に取り付けられている仕掛けをも保護することができる。
【図面の簡単な説明】
【００４１】
【図１】本考案に係る立体絵本の保護構造の第１実施形態において扁平補強材を取り付ける様子を示す斜視図である。
【図２】第１実施形態における保護構造を示す斜視図である。
【図３】第２実施形態における保護構造を示す斜視図である。
【図４】第３実施形態における保護構造を示す斜視図である。
【符号の説明】
【００４２】
１…立体絵本、２…背部、３…表紙、４…本文、６…耳部、７…扁平補強材、８…第１片部、９…第２片部、１１…天、１２…地、１３…小口、１６…扁平補強材、１７…第１片部、１８…第２片部、１９…第３片部、２０…第４片部、２１…第５片部、２３…扁平補強材。
【図１】
0003134996.tif 000003
【図２】
0003134996.tif 000004
【図３】
0003134996.tif 000005
【図４】
0003134996.tif 000006